(57)【要約】  予約元の医療施設から予約先の医療施設における検査の進行状態を参照可能とする。  検査予約サーバ１は、診療所内システム２Ａ及び病院内システム２Ｂと通信ネットワークＮを介してデータ通信可能に接続され、診療所内システム２Ａから病院内システム２Ｂにおける検査の予約を受け付けて検査結果を管理する。検査予約サーバ１は、受け付けた予約に係る検査の進行状態を示す検査ステータス情報を含む当該検査の予約に関する検査予約情報を記憶する記憶部を備え、病院内システム２Ｂから取得した情報に基づいて検査ステータス情報を変更する。検査予約サーバ１は、診療所内システム２Ａからの検査予約情報の取得要求に応じて、検査予約情報を診療所内システム２Ａに送信する。診療所内システム２Ａでは、検査予約サーバ１から受信した検査予約情報に含まれる検査ステータス情報を表示部に表示する。
2012039146.tif 000002
【特許請求の範囲】
【請求項１】
複数の医療施設のそれぞれに設けられた施設内システムと通信ネットワークを介してデータ通信可能に接続され、当該複数の施設内システムのうち一の施設内システムから他の施設内システムにおける検査の予約を受け付けて検査結果を管理する検査予約サーバであって、
前記一の施設内システムから受け付けた予約に係る検査の進行状態を示す検査ステータス情報を含む当該検査の予約に関する検査予約情報を記憶する記憶手段と、
前記他の施設内システムから前記通信ネットワークを介して取得した情報に基づいて前記検査ステータス情報を変更し、前記一の施設内システムから前記通信ネットワークを介して前記検査予約情報の取得要求を受信した場合に、前記記憶手段から前記検査予約情報を読み出し、当該読み出した検査予約情報を前記一の施設内システムに前記通信ネットワークを介して送信する制御手段と、
を備える検査予約サーバ。
【請求項２】
前記検査ステータス情報は、検査が予約された状態、前記他の施設内システムにおいて患者の受付処理が済んだ状態、前記他の施設内システムにおいて検査が終了した状態、又は、前記他の施設内システムから当該検査予約サーバに検査結果が送信された状態のいずれかを示す情報を含む、
請求項１に記載の検査予約サーバ。
【請求項３】
複数の医療施設のそれぞれに設けられた施設内システムと、当該複数の施設内システムのうち一の施設内システムから他の施設内システムにおける検査の予約を受け付けて検査結果を管理する検査予約サーバと、が通信ネットワークを介してデータ通信可能に接続された検査予約システムであって、
前記検査予約サーバは、
前記一の施設内システムから受け付けた予約に係る検査の進行状態を示す検査ステータス情報を含む当該検査の予約に関する検査予約情報を記憶する記憶手段と、
前記他の施設内システムから前記通信ネットワークを介して取得した情報に基づいて前記検査ステータス情報を変更し、前記一の施設内システムから前記通信ネットワークを介して前記検査予約情報の取得要求を受信した場合に、前記記憶手段から前記検査予約情報を読み出し、当該読み出した検査予約情報を前記一の施設内システムに前記通信ネットワークを介して送信する第１の制御手段と、
を備え、
前記一の施設内システムは、
表示手段と、
前記検査予約サーバに対し前記通信ネットワークを介して前記検査予約情報の取得要求を送信し、前記検査予約サーバから前記通信ネットワークを介して前記検査予約情報を受信した場合に、当該検査予約情報に含まれる検査ステータス情報を前記表示手段に表示させる第２の制御手段と、
を備える検査予約システム。
【請求項４】
前記検査ステータス情報は、検査が予約された状態、前記他の施設内システムにおいて患者の受付処理が済んだ状態、前記他の施設内システムにおいて検査が終了した状態、又は、前記他の施設内システムから前記検査予約サーバに検査結果が送信された状態のいずれかを示す情報を含む、
請求項３に記載の検査予約システム。
【請求項５】
前記検査予約情報には検査予約日が含まれ、
前記第２の制御手段は、前記検査予約サーバから受信した検査予約情報に含まれる検査予約日から予め定められた日数が経過しているか否かを判断し、前記検査予約日から前記予め定められた日数が経過している場合に、前記受信した検査予約情報に含まれる検査ステータス情報に基づいて、当該検査予約情報に対応する検査結果が前記他の施設内システムから前記検査予約サーバに送信されているか否かを判断し、当該検査結果が前記他の施設内システムから前記検査予約サーバに送信されていない場合に、前記表示手段に警告を表示させる、
請求項４に記載の検査予約システム。
【発明の詳細な説明】
【技術分野】
【０００１】
本発明は、検査予約サーバ及び検査予約システムに関する。
【背景技術】
【０００２】
近年、医療技術の発達に伴い、特定機能を持つ病院や診療所等の複数の医療施設が連携して患者を治療する、地域医療連携の枠組みが普及しつつある。例えば、各医療施設とデータセンターとを通信ネットワークを介して接続し、データセンターが検査の予約を仲介するとともに医用画像データ等を管理することで、各医療施設間で互いの情報を共有するシステムが知られている（特許文献１参照）。【０００３】
予約先の医療施設は、検査を実施した後、検査結果をデータセンターに送信する。予約元の医療施設は、データセンターに検査結果が存在するか否かを問い合わせ、データセンターに検査結果が存在する場合には、検査結果を参照して診断を行う。
【先行技術文献】
【特許文献】
【０００４】
【特許文献１】特開２００５−３０１３８３号公報
【発明の概要】
【発明が解決しようとする課題】
【０００５】
しかしながら、このようなシステムを利用して、他の医療施設に検査を依頼した場合、データセンターに検査結果が登録されるまで、予約元の医療施設から予約先の医療施設における検査の進行状態を知ることはできなかった。
例えば、データセンターに検査結果が登録されていない場合、患者が検査に行き忘れているのか、検査は済んでいるが検査結果が登録されていないのか等、予約元の医療施設では詳細な情報を知ることができず、患者にもその状況を説明することができなかった。【０００６】
本発明は、上記の従来技術における問題に鑑みてなされたものであって、予約元の医療施設から予約先の医療施設における検査の進行状態を参照可能とすることを課題とする。
【課題を解決するための手段】
【０００７】
上記課題を解決するために、請求項１に記載の発明は、複数の医療施設のそれぞれに設けられた施設内システムと通信ネットワークを介してデータ通信可能に接続され、当該複数の施設内システムのうち一の施設内システムから他の施設内システムにおける検査の予約を受け付けて検査結果を管理する検査予約サーバであって、前記一の施設内システムから受け付けた予約に係る検査の進行状態を示す検査ステータス情報を含む当該検査の予約に関する検査予約情報を記憶する記憶手段と、前記他の施設内システムから前記通信ネットワークを介して取得した情報に基づいて前記検査ステータス情報を変更し、前記一の施設内システムから前記通信ネットワークを介して前記検査予約情報の取得要求を受信した場合に、前記記憶手段から前記検査予約情報を読み出し、当該読み出した検査予約情報を前記一の施設内システムに前記通信ネットワークを介して送信する制御手段と、を備える。【０００８】
請求項２に記載の発明は、請求項１に記載の検査予約サーバにおいて、前記検査ステータス情報は、検査が予約された状態、前記他の施設内システムにおいて患者の受付処理が済んだ状態、前記他の施設内システムにおいて検査が終了した状態、又は、前記他の施設内システムから当該検査予約サーバに検査結果が送信された状態のいずれかを示す情報を含む。【０００９】
請求項３に記載の発明は、複数の医療施設のそれぞれに設けられた施設内システムと、当該複数の施設内システムのうち一の施設内システムから他の施設内システムにおける検査の予約を受け付けて検査結果を管理する検査予約サーバと、が通信ネットワークを介してデータ通信可能に接続された検査予約システムであって、前記検査予約サーバは、前記一の施設内システムから受け付けた予約に係る検査の進行状態を示す検査ステータス情報を含む当該検査の予約に関する検査予約情報を記憶する記憶手段と、前記他の施設内システムから前記通信ネットワークを介して取得した情報に基づいて前記検査ステータス情報を変更し、前記一の施設内システムから前記通信ネットワークを介して前記検査予約情報の取得要求を受信した場合に、前記記憶手段から前記検査予約情報を読み出し、当該読み出した検査予約情報を前記一の施設内システムに前記通信ネットワークを介して送信する第１の制御手段と、を備え、前記一の施設内システムは、表示手段と、前記検査予約サーバに対し前記通信ネットワークを介して前記検査予約情報の取得要求を送信し、前記検査予約サーバから前記通信ネットワークを介して前記検査予約情報を受信した場合に、当該検査予約情報に含まれる検査ステータス情報を前記表示手段に表示させる第２の制御手段と、を備える。【００１０】
請求項４に記載の発明は、請求項３に記載の検査予約システムにおいて、前記検査ステータス情報は、検査が予約された状態、前記他の施設内システムにおいて患者の受付処理が済んだ状態、前記他の施設内システムにおいて検査が終了した状態、又は、前記他の施設内システムから前記検査予約サーバに検査結果が送信された状態のいずれかを示す情報を含む。【００１１】
請求項５に記載の発明は、請求項４に記載の検査予約システムにおいて、前記検査予約情報には検査予約日が含まれ、前記第２の制御手段は、前記検査予約サーバから受信した検査予約情報に含まれる検査予約日から予め定められた日数が経過しているか否かを判断し、前記検査予約日から前記予め定められた日数が経過している場合に、前記受信した検査予約情報に含まれる検査ステータス情報に基づいて、当該検査予約情報に対応する検査結果が前記他の施設内システムから前記検査予約サーバに送信されているか否かを判断し、当該検査結果が前記他の施設内システムから前記検査予約サーバに送信されていない場合に、前記表示手段に警告を表示させる。
【発明の効果】
【００１２】
請求項１、２に記載の発明によれば、検査ステータス情報を含む検査予約情報を一の施設内システムに送信するので、予約元の医療施設から予約先の医療施設における検査の進行状態を参照することができる。【００１３】
請求項３、４に記載の発明によれば、一の施設内システムにおいて、検査ステータス情報を表示手段に表示させるので、予約元の医療施設から予約先の医療施設における検査の進行状態を参照することができる。【００１４】
請求項５に記載の発明によれば、検査予約日から予め定められた日数が経過しているにもかかわらず、検査結果が他の施設内システムから検査予約サーバに送信されていない場合に、表示手段に警告を表示させるので、何らかの問題が発生したことを通知することができる。
【図面の簡単な説明】
【００１５】
【図１】検査予約システムのシステム構成図である。
【図２】検査予約サーバの機能的構成を示すブロック図である。
【図３】診療所内の端末装置の機能的構成を示すブロック図である。
【図４】検査予約処理を示すラダーチャートである。
【図５】ステータス更新処理を示すラダーチャートである。
【図６】ステータス更新処理を示すラダーチャートである。
【図７】ステータス更新処理を示すラダーチャートである。
【図８】診療所内の端末装置において実行される警告表示処理を示すフローチャートである。
【図９】受付リスト画面の表示例である。
【図１０】予約リスト画面の表示例である。
【発明を実施するための形態】
【００１６】
以下、図面を参照して本発明に係る検査予約システムの一実施形態について説明する。ただし、発明の範囲は、図示例に限定されない。
【００１７】
〔検査予約システムの構成〕
図１に、本実施の形態における検査予約システム１００のシステム構成を示す。
図１に示すように、検査予約システム１００は、地域のデータセンターに設置された検査予約サーバ１と、診療所Ａに設けられた診療所内システム２Ａと、病院Ｂに設けられた病院内システム２Ｂと、を備えて構成されている。検査予約サーバ１、診療所内システム２Ａ、病院内システム２Ｂは、インターネット等の通信ネットワークＮを介してデータ通信可能に接続されている。
【００１８】
検査予約サーバ１は、医療施設間の医療連携サービスを提供するものであり、診療所内システム２Ａ等から病院内システム２Ｂ等における検査の予約を受け付け、当該検査の結果を管理する。検査予約サーバ１は、検査の予約に関する検査予約情報及び検査結果を、検査ＤＢ（DataBase）１８（図２参照）により管理する。
【００１９】
診療所内システム２Ａは、受付装置３Ａ、モダリティ４Ａ、端末装置５Ａ及びＰＡＣＳ（Picture Archiving and Communication System）６ＡがＬＡＮ（Local Area Network）等の施設内ネットワーク７Ａにより相互にデータ通信可能に接続されて構成されている。診療所内システム２Ａを構成する各装置は、ルータ８Ａを介して通信ネットワークＮに接続される。診療所内システム２Ａを構成する装置のうち、少なくとも端末装置５Ａは、ルータ８Ａにより通信ネットワークＮを介して検査予約サーバ１とデータ通信可能に接続されている。
【００２０】
病院内システム２Ｂは、受付装置３Ｂ、モダリティ４Ｂ、端末装置５Ｂ及びＰＡＣＳ６Ｂ、連携ＧＷ（Gateway）９ＢがＬＡＮ等の施設内ネットワーク７Ｂにより相互にデータ通信可能に接続されて構成されている。病院内システム２Ｂを構成する各装置は、ルータ８Ｂを介して通信ネットワークＮに接続される。病院内システム２Ｂを構成する装置のうち、少なくとも端末装置５Ｂ及び連携ＧＷ９Ｂは、ルータ８Ｂにより通信ネットワークＮを介して検査予約サーバ１とデータ通信可能に接続されている。
【００２１】
以下、主として、診療所内システム２Ａから病院内システム２Ｂにおける検査を予約する場合を例にして説明する。
なお、検査予約システム１００を構成する診療所内システム２Ａや病院内システム２Ｂ等の施設内システム、各施設内システムの各装置の数は、特に限定されない。
【００２２】
〔検査予約サーバの構成〕
図２に、検査予約サーバ１の機能的構成を示す。
図２に示すように、検査予約サーバ１は、制御部１１、操作部１２、表示部１３、通信部１４、ＲＡＭ１５、記憶部１６等を備えて構成されており、各部はバス１７により接続されている。
【００２３】
制御部１１は、ＣＰＵ（Central Processing Unit）等から構成され、検査予約サーバ１の各部の処理動作を統括的に制御する。具体的には、ＣＰＵは、操作部１２から入力される操作信号又は通信部１４により受信される指示信号に応じて、記憶部１６に記憶されている各種処理プログラムを読み出してＲＡＭ１５に展開し、当該プログラムとの協働により各種処理を行う。
【００２４】
操作部１２は、カーソルキー、数字入力キー、及び各種機能キー等を備えたキーボードと、マウス等のポインティングデバイスを備えて構成され、キーボードに対するキー操作やマウス操作により入力された操作信号を制御部１１に出力する。
【００２５】
表示部１３は、ＬＣＤ（Liquid Crystal Display）等のモニタを備えて構成されており、制御部１１から入力される表示信号の指示に従って、各種画面を表示する。
【００２６】
通信部１４は、ネットワークインターフェース等により構成され、通信ネットワークＮを介して接続された外部機器との間でデータの送受信を行う。
【００２７】
ＲＡＭ１５は、制御部１１により実行制御される各種処理において、記憶部１６から読み出された各種プログラム、入力若しくは出力データ、及びパラメータ等を一時的に記憶するワークエリアを形成する。
【００２８】
記憶部１６は、ＨＤＤ（Hard Disk Drive）や半導体の不揮発性メモリ等により構成され、各種処理プログラム、当該プログラムの実行に必要なパラメータやファイル等を記憶している。
【００２９】
例えば、記憶部１６には、検査予約システム１００内の連携先の各医療施設の予約空き状況情報が記憶されている。予約空き状況情報は、医療施設に設置されている検査装置や医療施設に所属する医師について、予約可能な日時を示す情報である。予約空き状況情報は、病院内システム２Ｂの端末装置５Ｂ又は連携ＧＷ９Ｂから設定可能となっている。また、診療所内システム２Ａの端末装置５Ａ等から検査の予約が登録された場合には、登録された日時については予約空き状況情報の予約可能な日時から除かれる。
【００３０】
また、記憶部１６には、検査ＤＢ１８が記憶されている。検査ＤＢ１８には、検査予約情報及び検査結果が対応付けられて格納される。検査予約情報には、検査予約先となる医療施設名（病院Ｂ等）、検査予約日時、検査予約内容（検査装置、医師）、検査ステータス情報等が含まれる。検査を予約する際には、一又は複数の検査装置、一又は複数の医師に対する予約を１セットとして予約することができる。
【００３１】
検査ステータス情報は、検査予約システム１００内の診療所内システム２Ａ等の施設内システムから受け付けた予約に係る検査の進行状態を示す情報である。検査ステータス情報は、「予約済み」、「受付済み」、「検査済み」、「返信あり（１／Ｎ）」、「再送あり（Ｘ／Ｎ）」、「完了」等を含む。
「予約済み」は、予約先の医療施設の施設内システムに対して検査が予約された状態である。
「受付済み」は、患者が予約先の医療施設に来院し、予約先の施設内システムにおいて患者の受付処理が済んだ状態である。
「検査済み」は、予約先の医療施設の施設内システムにおいて患者の検査又は診察が終了した状態である。
「返信あり（１／Ｎ）」は、予約先の医療施設の施設内システムから検査予約サーバ１に１回目の検査結果が送信された状態である。検査結果として、モダリティ４Ｂ等の検査装置により撮影された医用画像の画像データ、医師によるコメント等が挙げられる。
「再送あり（Ｘ／Ｎ）」は、予約先の医療施設の施設内システムから検査予約サーバ１にＸ（Ｘ＝２〜Ｎ）回目の検査結果が送信された状態である。
「返信あり（１／Ｎ）」、「再送あり（Ｘ／Ｎ）」において、括弧内の数値は、（現在の送信回数／総送信回数）を表している。すなわち、現在の送信回数が総送信回数と一致していれば、１セットの検査予約に対し全ての検査結果が揃っていることを示している。
「完了」は、予約元の医療施設の施設内システムにおいて、検査結果が参照され、確認された状態である。
【００３２】
制御部１１は、病院内システム２Ｂから通信ネットワークＮを介して取得した情報に基づいて、検査ＤＢ１８内の該当する検査の検査ステータス情報を変更する。
制御部１１は、通信部１４により、診療所内システム２Ａから通信ネットワークＮを介して検査予約情報の取得要求を受信した場合に、記憶部１６の検査ＤＢ１８から該当する検査の検査予約情報を読み出し、通信部１４を制御して、読み出した検査予約情報を診療所内システム２Ａに通信ネットワークＮを介して送信する。
【００３３】
〔診療所内システムの構成〕
受付装置３Ａは、制御部、操作部、表示部、通信部、ＲＡＭ、記憶部等を備えたコンピュータ装置であり、診療所Ａに来院した患者の受付処理、会計計算、保険点数計算等を行う。患者が診療所Ａに来院した際に、受付装置３Ａにおいて、操作部から患者氏名や患者番号（診療所Ａ内での患者の識別番号）が入力されると、受付順に受付番号が振られ、受付番号と患者氏名等が対応付けられて記憶部に記憶される。また、診療所Ａに対する次回の予約が入っている患者については、受付装置３Ａの記憶部に、各患者の次回来院日が記憶されている。
【００３４】
モダリティ４Ａは、患者の診断対象部位を被写体として撮影を行い、撮影した画像をデジタル変換して医用画像を生成する画像生成装置である。モダリティ４Ａとして、ＣＲ（Computed Radiography）等が挙げられる。
【００３５】
端末装置５Ａは、検査予約サーバ１に対して他の医療施設における検査の予約を行う場合や、ＰＡＣＳ６Ａや検査予約サーバ１の検査ＤＢ１８に記憶されている検査結果を参照する場合に用いられる。
【００３６】
図３に、端末装置５Ａの機能的構成を示す。
図３に示すように、端末装置５Ａは、制御部５１、操作部５２、表示部５３、通信部５４、ＲＡＭ５５、記憶部５６等を備えて構成されており、各部はバス５７により接続されている。
【００３７】
制御部５１は、ＣＰＵ等から構成され、端末装置５Ａの各部の処理動作を統括的に制御する。具体的には、ＣＰＵは、操作部５２から入力される操作信号又は通信部５４により受信される指示信号に応じて、記憶部５６に記憶されている各種処理プログラムを読み出してＲＡＭ５５に展開し、当該プログラムとの協働により各種処理を行う。
【００３８】
操作部５２は、カーソルキー、数字入力キー、及び各種機能キー等を備えたキーボードと、マウス等のポインティングデバイスを備えて構成され、キーボードに対するキー操作やマウス操作により入力された操作信号を制御部５１に出力する。
【００３９】
表示部５３は、ＬＣＤ等のモニタを備えて構成されており、制御部５１から入力される表示信号の指示に従って、各種画面を表示する。
【００４０】
通信部５４は、ネットワークインターフェース等により構成され、施設内ネットワーク７Ａや通信ネットワークＮを介して接続された外部機器との間でデータの送受信を行う。
【００４１】
ＲＡＭ５５は、制御部５１により実行制御される各種処理において、記憶部５６から読み出された各種プログラム、入力若しくは出力データ、及びパラメータ等を一時的に記憶するワークエリアを形成する。
【００４２】
記憶部５６は、ＨＤＤや半導体の不揮発性メモリ等により構成され、各種処理プログラム、当該プログラムの実行に必要なパラメータやファイル等を記憶している。
【００４３】
制御部５１は、通信部５４により、検査予約サーバ１に対し通信ネットワークＮを介して対象検査の検査予約情報の取得要求を送信する。制御部５１は、通信部５４により、検査予約サーバ１から通信ネットワークＮを介して検査予約情報を受信した場合に、当該検査予約情報に含まれる検査ステータス情報を表示部５３に表示させる。
【００４４】
制御部５１は、検査予約サーバ１から受信した検査予約情報に含まれる検査予約日時の検査予約日から予め定められた日数が経過しているか否かを判断する。ここで、「予め定められた日数」とは、検査予約日から検査結果が検査予約サーバ１に送信されるまでの所要日数をいう。
制御部５１は、検査予約日から予め定められた日数が経過している場合に、受信した検査予約情報に含まれる検査ステータス情報に基づいて、当該検査予約情報に対応する検査結果が病院内システム２Ｂから検査予約サーバ１に送信されているか否かを判断する。
制御部５１は、検査結果が病院内システム２Ｂから検査予約サーバ１に送信されていない場合に、表示部５３に警告を表示させる。例えば、制御部５１は、表示部５３に表示されるリスト画面上で、警告対象検査を赤色で示す等、他の検査と識別可能に表示させる。
【００４５】
ＰＡＣＳ６Ａは、制御部、操作部、表示部、通信部、ＲＡＭ、記憶部等を備えたコンピュータ装置であり、主として診療所Ａ内のモダリティ４Ａ等により生成された医用画像データ、検体検査データ、読影レポート等の診療情報データを患者情報と対応付けて記憶部に格納する施設内サーバである。
【００４６】
〔病院内システムの構成〕
受付装置３Ｂは、制御部、操作部、表示部、通信部、ＲＡＭ、記憶部等を備えたコンピュータ装置であり、病院Ｂに来院した患者の受付処理、会計計算、保険点数計算等を行う。患者が病院Ｂに来院した際に、受付装置３Ｂにおいて、操作部から患者氏名や患者番号（病院Ｂ内での患者の識別番号）が入力されると、受付順に受付番号が振られ、受付番号と患者氏名等が対応付けられて記憶部に記憶される。
【００４７】
モダリティ４Ｂは、患者の診断対象部位を被写体として撮影を行い、撮影した画像をデジタル変換して医用画像を生成する画像生成装置である。モダリティ４Ｂとして、ＭＲ（Magnetic Resonance）、ＣＴ（Computed Tomography）等が挙げられる。
【００４８】
端末装置５Ｂは、ＰＡＣＳ６Ｂに記憶されている検査結果を参照する場合や、検査予約サーバ１に対して検査結果を送信する場合に用いられる。端末装置５Ｂは、図３に示した端末装置５Ａと同様の構成であるため、図示及び説明を省略する。
【００４９】
ＰＡＣＳ６Ｂは、制御部、操作部、表示部、通信部、ＲＡＭ、記憶部等を備えたコンピュータ装置であり、主として病院Ｂ内のモダリティ４Ｂ等により生成された医用画像データ、検体検査データ、読影レポート等の診療情報データを患者情報と対応付けて記憶部に格納する施設内サーバである。
【００５０】
連携ＧＷ９Ｂは、制御部、操作部、表示部、通信部、ＲＡＭ、記憶部等を備えたコンピュータ装置である。連携ＧＷ９Ｂは、検査予約サーバ１を利用して予約された検査について検査予約サーバ１から検査予約情報を取得し、受付装置３Ｂによる患者の受付処理や、モダリティ４Ｂによる検査が終了したか否かを管理する。
【００５１】
〔検査予約システムにおける動作〕
次に、検査予約システム１００における動作について説明する。
【００５２】
（検査予約処理）
図４は、検査予約処理を示すラダーチャートである。
まず、診療所Ａ内の端末装置５Ａにおいて、操作部５２からの操作に基づいて、制御部５１により、通信部５４が制御され、通信ネットワークＮを介して検査予約要求が検査予約サーバ１に送信される（ステップＳ１）。具体的には、端末装置５Ａにおいて、Ｗｅｂブラウザ機能により、操作部５２から検査予約サーバ１の連携サービスにアクセスするためのＵＲＬ（Uniform Resource Locator）が入力され、入力されたＵＲＬが通信部５４により、検査予約サーバ１に送信される。
【００５３】
検査予約サーバ１では、通信部１４により、検査予約要求が受信されると、制御部１１により、連携先の各医療施設の名称が記憶部１６から読み出されて施設名称リスト画面が生成され、Ｗｅｂサーバ機能により、施設名称リスト画面が端末装置５Ａに提供される（ステップＳ２）。
【００５４】
診療所Ａ内の端末装置５Ａでは、表示部５３に施設名称リスト画面が表示される。施設名称リスト画面において、操作部５２からの操作により、予約先施設が選択されると（ステップＳ３）、検査予約サーバ１では、制御部１１により、選択された予約先施設の検査装置及び医師が記憶部１６から読み出されて検査装置・医師リスト画面が生成され、検査装置・医師リスト画面が端末装置５Ａに提供される（ステップＳ４）。
【００５５】
診療所Ａ内の端末装置５Ａでは、検査装置・医師リスト画面が表示部５３に表示される。検査装置・医師リスト画面において、操作部５２からの操作により、一又は複数の検査装置及び／又は医師が選択される（ステップＳ５）。検査予約サーバ１では、制御部１１により、選択された検査装置及び／又は医師の予約空き状況情報が記憶部１６から読み出され、選択された検査装置及び／又は医師について予約可能な日時を含む予約空き状況画面が生成され、予約空き状況画面が端末装置５Ａに提供される（ステップＳ６）。
【００５６】
診療所Ａ内の端末装置５Ａでは、予約空き状況画面が表示部５３に表示される。予約空き状況画面において、操作部５２からの操作により、検査日時が指定されると（ステップＳ７）、検査予約サーバ１では、制御部１１により、記憶部１６の検査ＤＢ１８に検査予約情報が登録される（ステップＳ８）。具体的には、ステップＳ３で選択された予約先施設、ステップＳ５で選択された検査装置及び／又は医師、ステップＳ７で指定された検査日時に基づいて、検査予約情報が登録される。ここで、制御部１１により、予約された検査の検査予約情報に含まれる検査ステータス情報は、「予約済み」とされる（ステップＳ９）。
【００５７】
その後、病院Ｂ内の連携ＧＷ９Ｂの制御部により、検査予約サーバ１に対し通信ネットワークＮを介して検査予約情報の問い合わせが行われると（ステップＳ１０）、検査予約サーバ１では、制御部１１により、検査ＤＢ１８から病院Ｂ内の検査についての検査予約情報が読み出され、通信部１４により、病院Ｂ内の検査についての検査予約情報が通信ネットワークＮを介して連携ＧＷ９Ｂに送信される（ステップＳ１１）。
【００５８】
病院Ｂ内の連携ＧＷ９Ｂでは、通信部により、通信ネットワークＮを介して検査予約サーバ１から検査予約情報が取得される（ステップＳ１２）。取得された検査予約情報は、連携ＧＷ９Ｂの制御部により、連携ＧＷ９Ｂの記憶部に記憶される。
以上で、検査予約処理が終了する。
【００５９】
（ステータス更新処理）
図５〜図７は、ステータス更新処理を示すラダーチャートである。ここでは、診療所内システム２Ａから病院内システム２Ｂにおける検査を予約した場合の、ある検査を対象とする。
【００６０】
検査予約サーバ１の検査ＤＢ１８において、対象検査の検査ステータス情報が「予約済み」の状態で（ステップＳ２１）、診療所Ａ内の端末装置５Ａにおいて、操作部５２からの操作により、受付リスト画面又は予約リスト画面の表示等、リスト表示が指示された場合には（ステップＳ２２；ＹＥＳ）、制御部５１により、通信部５４が制御され、通信ネットワークＮを介して検査予約情報の取得要求が検査予約サーバ１に送信される（ステップＳ２３）。
検査予約サーバ１では、通信部１４により、端末装置５Ａから検査予約情報の取得要求が受信されると、制御部１１により、検査ＤＢ１８から該当する検査予約情報が読み出され、読み出された検査予約情報が通信ネットワークＮを介して端末装置５Ａに送信される（ステップＳ２４）。
診療所Ａ内の端末装置５Ａでは、通信部５４により、検査予約サーバ１から検査予約情報が受信され、制御部５１により、検査予約情報に含まれる検査ステータス情報に基づいて、表示部５３に「予約済み」と表示される（ステップＳ２５）。
【００６１】
次に、病院Ｂ内の連携ＧＷ９Ｂの制御部により、病院Ｂ内の受付装置３Ｂにおいて、予約されている検査の患者の受付処理が終了したか否かが判断される（ステップＳ２６）。具体的には、連携ＧＷ９Ｂの制御部により、受付装置３Ｂに対して、該当する患者の受付処理が終了したか否かの問い合わせが行われ、受付装置３Ｂから受付処理が終了したか否かを示す情報が取得される。予約されている検査の患者の受付処理が終了した場合には（ステップＳ２６；ＹＥＳ）、連携ＧＷ９Ｂの制御部により、受付済みである旨の通知が通信ネットワークＮを介して検査予約サーバ１に送信される（ステップＳ２７）。
検査予約サーバ１では、通信部１４により、連携ＧＷ９Ｂから受付済みである旨の通知が受信されると、制御部１１により、検査ＤＢ１８の該当する検査予約情報に含まれる検査ステータス情報が「受付済み」に変更される（ステップＳ２８）。
【００６２】
検査ステータス情報が「受付済み」の状態で、診療所Ａ内の端末装置５Ａにおいて、操作部５２からの操作により、受付リスト画面又は予約リスト画面の表示等、リスト表示が指示された場合には（ステップＳ２９；ＹＥＳ）、制御部５１により、通信部５４が制御され、通信ネットワークＮを介して検査予約情報の取得要求が検査予約サーバ１に送信される（ステップＳ３０）。
検査予約サーバ１では、通信部１４により、端末装置５Ａから検査予約情報の取得要求が受信されると、制御部１１により、検査ＤＢ１８から該当する検査予約情報が読み出され、読み出された検査予約情報が通信ネットワークＮを介して端末装置５Ａに送信される（ステップＳ３１）。
診療所Ａ内の端末装置５Ａでは、通信部５４により、検査予約サーバ１から検査予約情報が受信され、制御部５１により、検査予約情報に含まれる検査ステータス情報に基づいて、表示部５３に「受付済み」と表示される（ステップＳ３２）。
【００６３】
次に、病院Ｂ内の連携ＧＷ９Ｂの制御部により、病院Ｂ内のモダリティ４Ｂにおいて、予約されている検査が終了したか否かが判断される（ステップＳ３３）。具体的には、連携ＧＷ９Ｂの制御部により、モダリティ４Ｂに対して、該当する検査が終了したか否かの問い合わせが行われ、モダリティ４Ｂから検査が終了したか否かを示す情報が取得される。予約されている検査が終了した場合には（ステップＳ３３；ＹＥＳ）、連携ＧＷ９Ｂの制御部により、検査済みである旨の通知が通信ネットワークＮを介して検査予約サーバ１に送信される（ステップＳ３４）。
検査予約サーバ１では、通信部１４により、連携ＧＷ９Ｂから検査済みである旨の通知が受信されると、制御部１１により、検査ＤＢ１８の該当する検査予約情報に含まれる検査ステータス情報が「検査済み」に変更される（ステップＳ３５）。
【００６４】
なお、検査予約内容が医師の場合には、病院Ｂ内の端末装置５Ｂから医師の診察が終了したことを示す情報が検査予約サーバ１に送信され、この情報に基づいて、検査予約サーバ１において、検査ステータス情報が「検査済み」に変更されることとしてもよい。あるいは、検査予約内容が医師の場合には、「検査済み」の検査ステータス情報を省いてもよい。
【００６５】
図６に移り、検査ステータス情報が「検査済み」の状態で、診療所Ａ内の端末装置５Ａにおいて、操作部５２からの操作により、受付リスト画面又は予約リスト画面の表示等、リスト表示が指示された場合には（ステップＳ３６；ＹＥＳ）、制御部５１により、通信部５４が制御され、通信ネットワークＮを介して検査予約情報の取得要求が検査予約サーバ１に送信される（ステップＳ３７）。
検査予約サーバ１では、通信部１４により、端末装置５Ａから検査予約情報の取得要求が受信されると、制御部１１により、検査ＤＢ１８から該当する検査予約情報が読み出され、読み出された検査予約情報が通信ネットワークＮを介して端末装置５Ａに送信される（ステップＳ３８）。
診療所Ａ内の端末装置５Ａでは、通信部５４により、検査予約サーバ１から検査予約情報が受信され、制御部５１により、検査予約情報に含まれる検査ステータス情報に基づいて、表示部５３に「検査済み」と表示される（ステップＳ３９）。
【００６６】
次に、病院Ｂ内の端末装置５Ｂの制御部により、検査予約に対して検査結果が送信されるか否かが判断される（ステップＳ４０）。具体的には、端末装置５Ｂの制御部により、端末装置５Ｂの操作部からモダリティ４Ｂにより撮影された医用画像の画像データや医師によるコメントを送信する旨の操作が行われたか否かが判断される。検査結果が送信される場合には（ステップＳ４０；ＹＥＳ）、端末装置５Ｂの制御部により、検査結果が通信ネットワークＮを介して検査予約サーバ１に送信される（ステップＳ４１）。
検査予約サーバ１では、通信部１４により、端末装置５Ｂから検査結果が受信されると、制御部１１により、該当する検査予約情報と対応付けられて検査結果が検査ＤＢ１８に格納されるとともに、検査予約情報に含まれる検査ステータス情報が「返信あり（１／Ｎ）」に変更される（ステップＳ４２）。
【００６７】
検査ステータス情報が「返信あり（１／Ｎ）」の状態で、診療所Ａ内の端末装置５Ａにおいて、操作部５２からの操作により、受付リスト画面又は予約リスト画面の表示等、リスト表示が指示された場合には（ステップＳ４３；ＹＥＳ）、制御部５１により、通信部５４が制御され、通信ネットワークＮを介して検査予約情報の取得要求が検査予約サーバ１に送信される（ステップＳ４４）。
検査予約サーバ１では、通信部１４により、端末装置５Ａから検査予約情報の取得要求が受信されると、制御部１１により、検査ＤＢ１８から該当する検査予約情報が読み出され、読み出された検査予約情報が通信ネットワークＮを介して端末装置５Ａに送信される（ステップＳ４５）。
診療所Ａ内の端末装置５Ａでは、通信部５４により、検査予約サーバ１から検査予約情報が受信され、制御部５１により、検査予約情報に含まれる検査ステータス情報に基づいて、表示部５３に「返信あり（１／Ｎ）」と表示される（ステップＳ４６）。
【００６８】
次に、病院Ｂ内の端末装置５Ｂの制御部により、１セットとして予約された検査予約情報のうち、検査結果が返信された検査以外に他の検査があるか否かが判断される（ステップＳ４７）。他の検査がない場合には（ステップＳ４７；ＮＯ）、処理が終了する。
【００６９】
他の検査がある場合には（ステップＳ４７；ＹＥＳ）、端末装置５Ｂの制御部により、検査予約に対して他の検査結果が送信されるか否かが判断される（ステップＳ４８）。他の検査結果が送信される場合には（ステップＳ４８；ＹＥＳ）、端末装置５Ｂの制御部により、他の検査結果が通信ネットワークＮを介して検査予約サーバ１に送信され（ステップＳ４９）、ステップＳ４７に戻る。
検査予約サーバ１では、通信部１４により、端末装置５Ｂから他の検査結果が受信されると、制御部１１により、該当する検査予約情報と対応付けられて検査結果が検査ＤＢ１８に格納されるとともに、検査予約情報に含まれる検査ステータス情報が「再送あり（Ｘ／Ｎ）」に変更される（ステップＳ５０）。
【００７０】
図７に移り、検査ステータス情報が「再送あり（Ｘ／Ｎ）」の状態で、診療所Ａ内の端末装置５Ａにおいて、操作部５２からの操作により、受付リスト画面又は予約リスト画面の表示等、リスト表示が指示された場合には（ステップＳ５１；ＹＥＳ）、制御部５１により、通信部５４が制御され、通信ネットワークＮを介して検査予約情報の取得要求が検査予約サーバ１に送信される（ステップＳ５２）。
検査予約サーバ１では、通信部１４により、端末装置５Ａから検査予約情報の取得要求が受信されると、制御部１１により、検査ＤＢ１８から該当する検査予約情報が読み出され、読み出された検査予約情報が通信ネットワークＮを介して端末装置５Ａに送信される（ステップＳ５３）。
診療所Ａ内の端末装置５Ａでは、通信部５４により、検査予約サーバ１から検査予約情報が受信され、制御部５１により、検査予約情報に含まれる検査ステータス情報に基づいて、表示部５３に「再送あり（Ｘ／Ｎ）」と表示される（ステップＳ５４）。
【００７１】
検査ステータス情報が「再送あり（Ｘ／Ｎ）」の状態で、診療所Ａ内の端末装置５Ａにおいて、検査結果の内容が確認された場合には（ステップＳ５５；ＹＥＳ）、制御部５１により、通信部５４が制御され、通信ネットワークＮを介して検査結果の内容を確認した旨の通知が検査予約サーバ１に送信される（ステップＳ５６）。具体的には、操作部５２からの操作により、対象検査の検査結果の取得が指示され、制御部５１により、通信部５４が制御され、通信ネットワークＮを介して対象検査の検査結果の取得要求が検査予約サーバ１に送信される。そして、通信部５４により、検査予約サーバ１から検査結果が受信され、制御部５１により、検査結果が表示部５３に表示される。診療所Ａ内の医師は、検査結果の内容を確認した後、操作部５２からの操作により、検査結果の内容を確認した旨を通知するよう指示する。
検査予約サーバ１では、通信部１４により、端末装置５Ａから検査結果の内容を確認した旨の通知が受信されると、制御部１１により、検査ＤＢ１８の該当する検査予約情報に含まれる検査ステータス情報が「完了」に変更される（ステップＳ５７）。
【００７２】
検査ステータス情報が「完了」の状態で、診療所Ａ内の端末装置５Ａにおいて、操作部５２からの操作により、受付リスト画面又は予約リスト画面の表示等、リスト表示が指示された場合には（ステップＳ５８；ＹＥＳ）、制御部５１により、通信部５４が制御され、通信ネットワークＮを介して検査予約情報の取得要求が検査予約サーバ１に送信される（ステップＳ５９）。
検査予約サーバ１では、通信部１４により、端末装置５Ａから検査予約情報の取得要求が受信されると、制御部１１により、検査ＤＢ１８から該当する検査予約情報が読み出され、読み出された検査予約情報が通信ネットワークＮを介して端末装置５Ａに送信される（ステップＳ６０）。
診療所Ａ内の端末装置５Ａでは、通信部５４により、検査予約サーバ１から検査予約情報が受信され、制御部５１により、検査予約情報に含まれる検査ステータス情報に基づいて、表示部５３に「完了」と表示される（ステップＳ６１）。
以上で、ステータス更新処理が終了する。
【００７３】
（警告表示処理）
図８は、診療所Ａ内の端末装置５Ａにおいて実行される警告表示処理を示すフローチャートである。この処理は、予約リスト画面（図１０参照）を表示する際に、警告対象となる検査に対して警告を表示する処理である。
【００７４】
まず、制御部５１により、検査予約サーバ１の記憶部１６に記憶されている検査ＤＢ１８からリスト表示対象検査の検査予約情報が取得される。具体的には、制御部５１の制御に従って、通信部５４により、通信ネットワークＮを介して診療所Ａから予約された検査の検査予約情報の取得要求が検査予約サーバ１に送信され、検査予約サーバ１から送信された検査予約情報が受信される（ステップＳ７１）。
【００７５】
次に、制御部５１により、検査予約サーバ１から受信された検査予約情報に含まれる検査予約日時の検査予約日から予め定められた日数が経過しているか否かが判断される（ステップＳ７２）。
【００７６】
検査予約日から予め定められた日数が経過している場合には（ステップＳ７２；ＹＥＳ）、制御部５１により、検査予約サーバ１から受信された検査予約情報に含まれる検査ステータス情報が「返信あり（１／１）」、「再送あり（Ｎ／Ｎ）」又は「完了」であるか否かが判断される（ステップＳ７３）。すなわち、制御部５１により、検査予約情報に含まれる検査ステータス情報に基づいて、当該検査予約情報に対応する全ての検査結果が病院内システム２Ｂから検査予約サーバ１に送信されているか否かが判断される。
【００７７】
リスト表示対象検査について、病院内システム２Ｂから検査予約サーバ１に送信されていない検査結果が存在する場合、すなわち、検査ステータス情報が「返信あり（１／１）」、「再送あり（Ｎ／Ｎ）」、「完了」のいずれでもない場合には（ステップＳ７３；ＮＯ）、制御部５１により、表示部５３に表示されるリスト画面上の検査について、警告が表示される（ステップＳ７４）。
【００７８】
ステップＳ７２において、検査予約日から予め定められた日数が経過していない場合（ステップＳ７２；ＮＯ）、又は、ステップＳ７３において、検査ステータス情報が「返信あり（１／１）」、「再送あり（Ｎ／Ｎ）」又は「完了」である場合には（ステップＳ７３；ＹＥＳ）、警告は表示されない。
以上で、警告表示処理が終了する。
【００７９】
〔リスト表示例〕
図９に、端末装置５Ａの表示部５３に表示される受付リスト画面５３１の例を示す。受付リスト画面５３１は、受付装置３Ａにおいて受付処理が行われた患者の一覧を表示するものである。受付リスト画面５３１には、受付番号欄２１、患者氏名欄２２、検査予約先欄２３、検査予約日欄２４、検査予約内容欄２５、検査進行状態欄２６、ＭＲ装置進行状態欄２７、ＣＴ装置進行状態欄２８が設けられている。
【００８０】
受付番号欄２１には、診療所Ａに来院した患者に対して受付順に割り当てられた受付番号が表示される。患者氏名欄２２には、診療所Ａに来院した患者の氏名が表示される。受付処理が行われた患者の受付番号及び患者氏名は、制御部５１により、受付装置３Ａから取得される。
検査予約先欄２３、検査予約日欄２４、検査予約内容欄２５、検査進行状態欄２６（図９に示す検査予約情報欄２９）には、検査予約サーバ１から取得された検査予約情報が表示される。具体的には、検査予約先欄２３には、各患者について検査が予約されている場合に、検査予約先の医療施設名が表示される。検査予約日欄２４には、各患者について検査が予約されている場合に、検査予約日が表示される。検査予約内容欄２５には、各患者について検査が予約されている場合に、検査装置や医師名が表示される。検査進行状態欄２６には、患者について検査が予約されている場合に、検査ステータス情報に基づいて、検査進行状態が表示される。これらの情報は、受付処理された患者の検査予約情報のうち、検査進行状態が「完了」以外のものの中で一番古い検査予約日のものが表示される。
ＭＲ装置進行状態欄２７、ＣＴ装置進行状態欄２８は、それぞれ、検査予約内容が「ＭＲ」、「ＣＴ」の場合に、検査進行状態が「返信あり（１／Ｎ）」又は「再送あり（Ｘ／Ｎ）」のときに、「更新（Ｙ）」と表示される。括弧内の数値Ｙは、未読データの数を表している。
【００８１】
例えば、受付リスト画面５３１において、「患者ａ」の検査予約内容欄２５には、「ＭＲ、田中先生」と表示されており、ＭＲについての予約と田中先生についての予約が１セットとなっている。したがって、両方の検査結果が送信されていれば、検査進行状態欄２６に「再送あり（２／２）」と表示されるはずであるが、現状では「返信あり（１／２）」であるので、ＭＲの結果については予約先の「赤坂病院」から検査予約サーバ１に送信されているが、田中先生の結果は検査予約サーバ１に送信されていない状態であることがわかる。また、ＭＲの結果が「赤坂病院」から検査予約サーバ１に送信されているので、ＭＲ装置進行状態欄２７には「更新（１）」と表示されている。
【００８２】
また、受付リスト画面５３１において、「患者ｂ」の検査予約内容欄２５には、「一般ＣＴ」と表示されており、一般ＣＴについての予約のみが１セットとなっている。検査進行状態欄２６に「返信あり（１／１）」と表示されているので、検査予約サーバ１に検査結果が揃っている状態であることがわかる。また、ＣＴの結果が「池上病院」から検査予約サーバ１に送信されているので、ＣＴ装置進行状態欄２８には「更新（１）」と表示されている。
【００８３】
図１０に、端末装置５Ａの表示部５３に表示される予約リスト画面５３２の例を示す。予約リスト画面５３２は、検査予約サーバ１を利用して診療所Ａから検査予約が行われた患者の一覧を表示するものである。予約リスト画面５３２には、患者番号欄３１、患者氏名欄３２、検査予約先欄３３、検査予約日欄３４、検査予約内容欄３５、検査進行状態欄３６、ＭＲ装置進行状態欄３７、ＣＴ装置進行状態欄３８、次回来院日欄３９が設けられている。
【００８４】
患者番号欄３１には、検査予約サーバ１を利用して診療所Ａから検査予約が行われた患者の患者番号（診療所Ａ内での患者の識別番号）が表示される。患者氏名欄３２には、患者の氏名が表示される。
検査予約先欄３３、検査予約日欄３４、検査予約内容欄３５、検査進行状態欄３６（図１０に示す検査予約情報欄４０）には、診療所Ａから予約された検査について、検査予約サーバ１から取得された検査予約情報が表示される。具体的には、検査予約先欄３３には、検査予約先の医療施設名が表示される。検査予約日欄３４には、検査予約日が表示される。検査予約内容欄３５には、検査装置や医師名が表示される。検査進行状態欄３６には、検査ステータス情報に基づいて、検査進行状態が表示される。これらの情報は、診療所Ａから検査予約が行われた患者の検査予約情報のうち、検査進行状態が「完了」以外のものの中で一番古い検査予約日のものが表示される。
ＭＲ装置進行状態欄３７、ＣＴ装置進行状態欄３８は、それぞれ、検査予約内容が「ＭＲ」、「ＣＴ」の場合に、検査進行状態が「返信あり（１／Ｎ）」又は「再送あり（Ｘ／Ｎ）」のときに、「更新（Ｙ）」と表示される。括弧内の数値Ｙは、未読データの数を表している。
次回来院日欄３９には、検査予約サーバ１を利用して検査予約が行われた患者が診療所Ａに次回来院する予定日が表示される。次回来院日は、制御部５１により、受付装置３Ａから取得される。なお、次回来院日は、検査予約日に予め定められた日数（検査結果が検査予約サーバ１に送信されるまでの所要日数）を加えた日以降に設定されている。
【００８５】
予約リスト画面５３２上で、検査進行状態欄３６に「予約済み」と表示されている状態で警告が表示された場合には、患者が検査予約日に予約先の医療施設に行っていないことがわかる。
また、予約リスト画面５３２上で検査進行状態欄３６に「受付済み」と表示されている状態で警告が表示された場合には、患者が検査予約日に予約先の医療施設に行って受付処理を済ませたが、検査を受けていないことがわかる。
また、予約リスト画面５３２上で検査進行状態欄３６に「検査済み」と表示されている状態で警告が表示された場合には、患者が検査予約日に予約先の医療施設に行って検査を受けたが、予約先の医療施設側からその結果が検査予約サーバ１に送信されていないことがわかる。
また、予約リスト画面５３２上で検査進行状態欄３６に「返信あり（１／Ｎ）」（Ｎ≠１）と表示されている状態で警告が表示された場合には、患者が検査予約日に予約先の医療施設に行って検査を受けたが、予約先の医療施設側からその結果がＮ件中１件しか検査予約サーバ１に送信されていないことがわかる。
また、予約リスト画面５３２上で検査進行状態欄３６に「再送あり（Ｘ／Ｎ）」（Ｘ≠Ｎ）と表示されている状態で警告が表示された場合には、患者が検査予約日に予約先の医療施設に行って検査を受けたが、予約先の医療施設側からその結果がＮ件中Ｘ件しか検査予約サーバ１に送信されていないことがわかる。
【００８６】
例えば、予約リスト画面５３２において、「患者ａ」は、「赤坂病院」において「７月３日」に「ＭＲ、田中先生」の予約が入っている。「患者ａ」の検査進行状態欄３６には、「再送あり（２／２）」と表示されており、検査予約サーバ１には、ＭＲの検査結果と田中先生の診断結果が揃っていることがわかる。したがって、次回来院日の「７月２９日」には、診療所Ａにて検査結果を説明することができる。
【００８７】
また、予約リスト画面５３２において、「患者ｆ」は、「池上病院」において「７月１２日」に「一般ＣＴ」の予約が入っている。「患者ｆ」の検査進行状態欄３６には、「検査済み」と表示されており、患者は検査予約日に「池上病院」に行って検査を受けたものの、「池上病院」からその結果が検査予約サーバ１に送信されていないことがわかる。検査予約日から予め定められた日数（例えば３日等）が経過しているにもかかわらず、検査結果が送信されていないため、「患者ｆ」についての情報４１が警告色（他とは異なる色）で表示される。
【００８８】
また、予約リスト画面５３２において、「患者ｄ」は、「上野病院」において「７月３０日」に「上田先生」の予約が入っており、「患者ｄ」の検査進行状態欄３６には、「予約済み」と表示されている。診療所Ａへの次回来院日は「８月７日」である。
【００８９】
また、予約リスト画面５３２において、「患者ｅ」は、「池上病院」において「８月２日」に「造影ＣＴ」の予約が入っており、「患者ｅ」の検査進行状態欄３６には、「予約済み」と表示されている。診療所Ａへの次回来院日は「８月１０日」である。
【００９０】
予約リスト画面５３２上で警告が表示された場合、検査進行状態欄３６に「検査済み」、「返信あり（１／Ｎ）」（Ｎ≠１）、「再送あり（Ｘ／Ｎ）」（Ｘ≠Ｎ）と表示されているときには、予約先の医療施設側に何らかの問題があると考えられる。この場合、予約先の医療施設に電話やメール等で連絡して状況を確認し、検査結果を送信するよう依頼する等の対処法が考えられる。
【００９１】
一方、予約リスト画面５３２上で警告が表示された場合、検査進行状態欄３６に「予約済み」、「受付済み」と表示されているときには、患者側に問題がある可能性が高い。この場合、患者と連絡を取り、検査に行き忘れていることを患者に伝えたり、必要であれば、次回来院日を調整したりする。
【００９２】
以上説明したように、検査予約サーバ１によれば、検査ステータス情報を含む検査予約情報を診療所内システム２Ａに送信するので、予約元の医療施設（診療所Ａ）から予約先の医療施設（病院Ｂ）における検査の進行状態を参照することができる。
【００９３】
また、診療所内システム２Ａにおいて、受付リスト画面５３１や予約リスト画面５３２を表示する際に、検査ステータス情報を表示部５３に表示させるので、予約元の医療施設から予約先の医療施設における検査の進行状態を参照することができる。
【００９４】
また、検査予約日から予め定められた日数が経過しているにもかかわらず、検査結果が病院内システム２Ｂから検査予約サーバ１に送信されていない場合に、表示部５３に警告を表示させるので、何らかの問題が発生したことを通知することができる。
また、１セットの検査予約に対して複数の検査結果が存在する場合には、検査予約日から予め定められた日数が経過しているにもかかわらず、病院内システム２Ｂから検査予約サーバ１に送信されていない検査結果がある場合に、表示部５３に警告を表示させるので、何らかの問題が発生したことを通知することができる。
【００９５】
なお、上記実施の形態における記述は、本発明に係る検査予約サーバ及び検査予約システムの例であり、これに限定されるものではない。システムを構成する各装置の細部構成及び細部動作に関しても本発明の趣旨を逸脱することのない範囲で適宜変更可能である。
【００９６】
例えば、上記実施の形態では、警告を表示する際に、警告対象の検査をリスト上の他の検査と異なる色で表示することで、ユーザに注意を喚起することとしたが、警告対象の検査は、他と識別可能に表示すればよく、文字やマーカー等で示すことで、警告を表示することとしてもよい。
【００９７】
また、上記実施の形態では、検査予約日から予め定められた日数が経過し、かつ、検査予約に係る検査結果のうち、予約先の施設内システム（病院内システム２Ｂ）から検査予約サーバ１に送信されていないものがある場合に、表示部５３に警告を表示させることとしたが、さらに、患者の次回来院日を参照し、次回来院日まで所定日数以内である場合にのみ、警告を表示させることとしてもよい。
【００９８】
また、上記実施の形態では、検査予約サーバ１において、病院内システム２Ｂから受付済みである旨の通知を受信した場合に、検査ステータス情報を「受付済み」に変更し、病院内システム２Ｂから検査済みである旨の通知を受信した場合に、検査ステータス情報を「検査済み」に変更し、病院内システム２Ｂから検査結果を受信した場合に、検査ステータス情報を「返信あり（１／Ｎ）」又は「返信あり（１／Ｎ）」に変更することとしたが、検査予約サーバ１は、病院内システム２Ｂから直接的な検査ステータス情報の変更指示を取得した場合に検査ステータス情報を変更することとしてもよいし、何らかのデータの受信を契機として検査ステータス情報を変更することとしてもよい。
【００９９】
以上の説明では、各処理を実行するためのプログラムを格納したコンピュータ読み取り可能な媒体としてＨＤＤや不揮発性メモリを使用した例を開示したが、この例に限定されない。その他のコンピュータ読み取り可能な媒体として、ＣＤ−ＲＯＭ等の可搬型記録媒体を適用することも可能である。また、プログラムのデータを通信回線を介して提供する媒体として、キャリアウェーブ（搬送波）を適用することとしてもよい。
【産業上の利用可能性】
【０１００】
本発明に係る検査予約サーバ及び検査予約システムは、複数の医療施設間で検査の予約を行う医療分野において利用可能性がある。
【符号の説明】
【０１０１】
１  検査予約サーバ
２Ａ  診療所内システム
２Ｂ  病院内システム
３Ａ，３Ｂ  受付装置
４Ａ，４Ｂ  モダリティ
５Ａ，５Ｂ  端末装置
６Ａ，６Ｂ  ＰＡＣＳ
７Ａ，７Ｂ  施設内ネットワーク
８Ａ，８Ｂ  ルータ
９Ｂ  連携ＧＷ
１１  制御部
１２  操作部
１３  表示部
１４  通信部
１５  ＲＡＭ
１６  記憶部
１７  バス
１８  検査ＤＢ
２６  検査進行状態欄
３６  検査進行状態欄
５１  制御部
５２  操作部
５３  表示部
５４  通信部
５５  ＲＡＭ
５６  記憶部
５７  バス
１００  検査予約システム
５３１  受付リスト画面
５３２  予約リスト画面
Ｎ  通信ネットワーク
【図１】
2012039146.tif 000003
【図２】
2012039146.tif 000004
【図３】
2012039146.tif 000005
【図４】
2012039146.tif 000006
【図５】
2012039146.tif 000007
【図６】
2012039146.tif 000008
【図７】
2012039146.tif 000009
【図８】
2012039146.tif 000010
【図９】
2012039146.tif 000011
【図１０】
2012039146.tif 000012
【国際調査報告】
2012039146.tif 000013
2012039146.tif 000014
2012039146.tif 000015
2012039146.tif 000016